(57)【要約】【課題】記憶済み音楽曲データの消去に伴う空きフォルダが記憶手段に残ってしまう。【解決手段】フォルダ単位で一又は複数の音楽曲データを記憶するフラッシュメモリ３１と、このフラッシュメモリ内のフォルダ内に、記憶対象の音楽曲データを記憶するＤＳＰ２２及び記憶駆動制御部６１と、消去指令を検出すると、ＤＳＰ及び記憶駆動制御部を通じて、フラッシュメモリ内のフォルダ内に記憶した音楽曲データから消去対象の音楽曲データを消去する制御部６８とを備えた車載用オーディオ装置１であって、フォルダ内の消去対象の音楽曲データが消去されると、この消去した音楽曲データに関わるフォルダ内に他の音楽曲データが記憶されているか否かを判定する空きフォルダ判定部７３を有し、制御部は、空きフォルダ判定部にて同フォルダ内に他の音楽曲データが記憶されていないと判定されると、同フォルダをフラッシュメモリから消去するようにした。【選択図】  図３
2004348388.tif 000002
【特許請求の範囲】
【請求項１】
フォルダ単位で、一又は複数の音楽曲データを記憶するフォルダ階層構造を備えた記憶手段と、この記憶手段内のフォルダ内に、記憶対象の音楽曲データを記憶する記憶制御手段と、消去指令を検出すると、前記記憶手段内のフォルダ内に記憶した音楽曲データから消去対象の音楽曲データを消去する消去手段とを備えたオーディ装置であって、
前記消去手段は、
単一の音楽曲データしか記憶されていないフォルダから、同音楽曲データを消去対象の音楽曲データとして消去すると、同フォルダも併せて消去することを特徴とするオーディオ装置。
【請求項２】
前記消去手段にて前記フォルダ内の消去対象の音楽曲データが消去されると、この消去した音楽曲データに関わるフォルダ内に他の音楽曲データが記憶されているか否かを判定する空きフォルダ判定手段を有し、
前記消去手段は、
前記空きフォルダ判定手段にて同フォルダ内に他の音楽曲データが記憶されていないと判定されると、同フォルダを前記記憶手段から消去することを特徴とする請求項１記載のオーディオ装置。
【発明の詳細な説明】
【０００１】
【発明の属する技術分野】
本発明は、音楽曲データを複数記録した、例えばＣＤ，ＤＶＤ、ＭＤ等のディスク（記録媒体）から記憶対象の音楽曲データを選択し、この選択した記憶対象の音楽曲データを、例えばフラッシュメモリやハードディスク等の記憶手段に記憶する記憶機能を備えた車載用オーディオ装置等のオーディオ装置に関する。
【０００２】
【従来の技術】
従来、このようなオーディオ装置としては、複数の音楽曲データを記録したディスクから記憶対象の音楽曲データを選択し、この選択した記憶対象の音楽曲データをフラッシュメモリに記憶する記憶機能と、このフラッシュメモリに記憶した音楽曲データを再生する再生機能を備えたものが知られている（例えば特許文献１参照）。
【０００３】
このような特許文献１のオーディオ装置によれば、ディスクに記録された音楽曲データをフラッシュメモリに記憶し、このフラッシュメモリに記憶した音楽曲データを再生できるようにしたので、フラッシュメモリに所望の音楽曲データを記憶しておくことで、同音楽曲データをディスクで保管する必要がなくなる。
【０００４】
また、このようなオーディオ装置としては、一又は複数の音楽曲データをフォルダ単位で記憶するフォルダ階層構造を備えたものが知られている（例えば特許文献２参照）。
【０００５】
このような特許文献２のオーディオ装置によれば、音楽曲データをフォルダ階層構造で記憶するようにしたので、記憶済みの音楽曲データから所望の音楽曲データを検索する場合には、フォルダで所望の音楽曲データを検索することができるため、その検索作業が良好である。
【０００６】
【特許文献１】
特開２００２−２０８２５９号公報（要約書、図１及び図２参照）
【特許文献２】
特開２００２−２６０３７０号公報（要約書、図３参照）
【０００７】
【発明が解決しようとする課題】
しかしながら、上記従来のオーディオ装置によれば、例えばディスクに複数記録された音楽曲データの内、一又は複数の記憶対象の音楽曲データをフォルダ単位でＣＤ−Ｒやフラッシュメモリ等の記憶手段に記憶するようにしたが、記憶手段のフォルダ内に記憶済みの音楽曲データを消去することで、同フォルダ内に記憶済みの音楽曲データがなくなったとしても、同フォルダは空きフォルダとして記憶手段内に残ってしまうため、この空きフォルダが記憶手段内のメモリ容量が無駄になるばかりか、フォルダを利用した所望の音楽曲データを検索する検索作業にも支障を来たすおそれがある。
【０００８】
本発明は上記点に鑑みてなされたものであり、その目的とするところは、フォルダ内に記憶済みの音楽曲データが消去され、同フォルダ内に記憶済みの音楽曲データがなくなったとしても、空きフォルダを記憶手段に残すことのないオーディオ装置を提供することにある。
【０００９】
【課題を解決するための手段】
上記目的を達成するために本発明のオーディオ装置は、フォルダ単位で、一又は複数の音楽曲データを記憶するフォルダ階層構造を備えた記憶手段と、この記憶手段内のフォルダ内に、記憶対象の音楽曲データを記憶する記憶制御手段と、消去指令を検出すると、前記記憶手段内のフォルダ内に記憶した音楽曲データから消去対象の音楽曲データを消去する消去手段とを備えたオーディ装置であって、前記消去手段は、単一の音楽曲データしか記憶されていないフォルダから、同音楽曲データを消去対象の音楽曲データとして消去すると、同フォルダも併せて消去するようにした。
【００１０】
従って、本発明のオーディオ装置によれば、単一の音楽曲データしか記憶されていないフォルダから、同音楽曲データを消去対象の音楽曲データとして消去すると、同フォルダ、すなわち空きフォルダも併せて消去するようにしたので、記憶済み音楽曲データの消去に伴う空きフォルダが記憶手段内に残してしまうような事態を確実に防止し、その結果、記憶手段内のメモリ容量を有効的に活用し、さらには、フォルダを利用した所望の音楽曲データの検索作業を良好にすることができる。
【００１１】
本発明のオーディオ装置は、前記消去手段にて前記フォルダ内の消去対象の音楽曲データが消去されると、この消去した音楽曲データに関わるフォルダ内に他の音楽曲データが記憶されているか否かを判定する空きフォルダ判定手段を有し、前記消去手段は、前記空きフォルダ判定手段にて同フォルダ内に他の音楽曲データが記憶されていないと判定されると、同フォルダを前記記憶手段から消去するようにした。
【００１２】
従って、本発明のオーディオ装置によれば、消去手段にてフォルダ内の消去対象の音楽曲データが消去されると、この消去した音楽曲データに関わるフォルダ内に他の音楽曲データが記憶されているか否かを判定し、同フォルダ内に他の音楽曲データが記憶されていない、すなわち同フォルダが空きフォルダであると判定されると、この空きフォルダを記憶手段から消去するようにしたので、記憶済み音楽曲データの消去に伴う空きフォルダが記憶手段内に残してしまうような事態を確実に防止し、その結果、記憶手段内のメモリ容量を有効的に活用し、さらには、フォルダを利用した所望の音楽曲データの検索作業を良好にすることができる。
【００１３】
【発明の実施の形態】
以下、図面に基づいて本発明のオーディオ装置における実施の形態を示す車載用オーディオ装置について説明する。図１は本実施の形態を示す車載用オーディオ装置内部の概略構成を示すブロック図である。
【００１４】
図１に示す車載用オーディオ装置１は、ラジオチューナ機能と、ディスク再生機能と、このディスク再生機能にて再生した音楽曲データを圧縮記憶し、さらには、この圧縮記憶した音楽曲データを再生可能とする圧縮記憶再生機能と、これらラジオチューナ機能、ディスク再生機能及び圧縮記憶再生機能からの出力信号を音量調整する電子ボリューム部２と、この電子ボリューム部２にて音量調整した出力信号を増幅するアンプ部３と、このアンプ部３にて増幅した出力信号を音声出力するスピーカ部４と、様々な操作を入力する操作パネル５と、この車載用オーディオ装置１全体を制御するマイコン６とを有している。
【００１５】
ラジオチューナ機能は、到来する放送電波を受信する受信アンテナ１１と、この受信アンテナ１１で受信した放送電波から任意周波数の放送信号に同調するラジオチューナ部１２と、任意周波数の放送信号に同調するための同調周波数信号を生成するＰＬＬ１３と、ラジオチューナ部１２にて同調した放送信号がＲＤＳ放送信号の場合には、このＲＤＳ放送信号からＲＤＳデータを抽出し、この抽出したＲＤＳデータを解読するＲＤＳデコーダ１４とを有している。
【００１６】
ディスク再生機能は、ディスクに記録された音楽曲データを再生するディスク再生部２１と、このディスク再生部２１にて再生した音楽曲データの信号処理を施すＤＳＰ２２とを有している。
【００１７】
圧縮記憶再生機能は、ディスク再生部２１にて再生した音楽曲データを圧縮記憶するフラッシュメモリ３１と、マイコン６からの記憶指令を検出すると、ディスク再生部２１にて再生した音楽曲データ（記憶対象の音楽曲データ）を圧縮し、この圧縮した音楽曲データをフラッシュメモリ３１に圧縮記憶すると共に、マイコン６からの再生指令を検出すると、フラッシュメモリ３１に圧縮記憶された音楽曲データ（記憶済み音楽曲データ）を伸長し、この伸長した音楽曲データを電子ボリューム部２に伝送するＤＳＰ２２と、フラッシュメモリ３１に圧縮記憶した音楽曲データに関わるフォルダ単位で管理するフォルダ管理情報を記憶したフォルダ管理メモリ３２とを有している。
【００１８】
尚、圧縮記憶再生機能のＤＳＰ２２では、高音質のＨＱモード及び通常音質のＬＰモードの２種類の記憶設定モードを有し、ＨＱモードでは、４４．１ｋＨｚのサンプリングレート及び６４ｋｂｐｓのビットレートで音楽曲データを圧縮し、ＬＰモードでは、３２ｋＨｚのサンプリングレート及び４８ｋＨｚのビットレートで音楽曲データを圧縮するものである。
【００１９】
また、ＤＳＰ２２は、ディスクに記録された記憶対象の音楽曲データをフラッシュメモリ３１に記憶する場合、このディスクに対応した新しいフォルダをフラッシュメモリ３１内に作成し、このフォルダ内に記憶対象の音楽曲データを、設定中の記憶設定モードに対応したビットレートで圧縮記憶するものである。尚、フラッシュメモリ３１内のフォルダは、ディスク１枚につき１個のフォルダが作成され、例えば１枚のディスクに記録された複数の音楽曲データの内、数曲の音楽曲データがディスクに対応したフォルダに記憶され、後日、残りの音楽曲データを記憶する場合には、同ディスクに対応した同一のフォルダ内に音楽曲データが記憶されることになる。また、このフォルダには、後述するフォルダ番号が付与され、同フォルダ内に記憶済みの音楽曲データにはトラック番号が付与されることになる。
【００２０】
また、ＤＳＰ２２は、マイコン６からの消去指令を検出すると、フラッシュメモリ３１に記憶済みの音楽曲データから消去対象の音楽曲データを消去するものである。
【００２１】
操作部パネル５は、複数のキー群で構成し、様々な指令を入力する操作部４０と、様々な情報を表示する表示部５０とを有し、表示部５０は、操作部４０の各キーに対応したＬＥＤ表示部５１と、操作部４０のキー群の内、後述するＲＥＣキー４２に設けたイルミネーション機能であるキーイルミネーション表示部５２と、メッセージ等を表示するＬＣＤ表示部５３とを有している。
【００２２】
図２は車載用オーディオ装置１の操作パネル５を示す説明図である。
【００２３】
操作パネル５の操作部４０は、例えばラジオチューナ機能、ディスク再生機能や圧縮記憶再生機能等を選択するＦＮＣキー４１Ａと、このＦＮＣキー４１Ａにて選択された機能の動作モードを切替選択するＢＮＤキー４１Ｂと、フラッシュメモリ３１に音楽曲データを圧縮記憶する圧縮記憶再生機能の記憶動作を起動するＲＥＣキー４２と、様々な指令内容をＬＣＤ表示部５３に表示させるジョグダイヤル４１Ｃと、ディスク再生機能や圧縮記憶再生機能時の早送りキー４１Ｄ及び早戻しキー４１Ｅと、ディスク再生機能や圧縮記憶再生機能時の再生又は一時停止を実行すると共に、圧縮記憶再生機能時の記憶対象又は消去対象を選択するＥＮＴキー４３と、ディスク再生機能時は曲単位でサーチアップ又はサーチダウン動作を実行し、圧縮記憶再生機能時の再生中はフラッシュメモリ３１内を曲単位（ファイル単位）でファイルアップ又はファイルダウン動作を実行し、圧縮記憶再生機能時の再生中以外の場合はフォルダ単位でフォルダアップ又はフォルダダウン動作を実行するＵＰキー４１Ｆ及びＤＯＷＮキー４１Ｇとを有している。
【００２４】
さらに操作部４０は、ディスク再生機能又は圧縮記憶再生機能時にスキャン再生を実行するＳＣＮキー４１Ｈと、ディスク再生機能又は圧縮記憶再生機能時にリピート再生を実行するＲＰＴキー４１Ｉと、ディスク再生機能又は圧縮記憶再生機能時にランダム再生を実行するＲＤＭキー４１Ｊと、圧縮記憶再生機能時にフラッシュメモリ３１に記憶済みの音楽曲データを消去するＥＲＳキー４４と、オートストア及びプリセットを実行するＡＳ／ＰＳキー４１Ｋと、圧縮記憶再生機能時にタイトル名として、例えばフォルダ番号をＬＣＤ表示部５３に表示するＴＩＴＬＥキー４１Ｌと、ＬＣＤ表示部５３に表示中のタイトル名を、例えばフォルダ番号又はファイル番号に切替表示するＤＩＳＰキー４１Ｍと、交通情報をワンタッチ操作で受信するＩＳＲキー４１Ｎと、ディスク再生部２１に搭載したディスクを排出するＥＪＥＣＴキー４１Ｏとを有している。
【００２５】
尚、ＳＣＮキー４１Ｈ、ＲＰＴキー４１Ｉ及びＲＤＭキー４１Ｊは、スキャン再生、リピート再生及びランダム再生等の特殊再生を起動するものである。
【００２６】
圧縮記憶再生機能時のスキャン再生は、フラッシュメモリ３１に記憶済みの音楽曲データを曲単位（ファイル単位）で曲先頭の１０秒間のみを順次再生するファイルスキャン再生と、フラッシュメモリ３１に記憶済みのディスク単位（フォルダ単位）でフォルダ内の先頭曲（ファイル番号“００１”）に関わる曲先頭の１０秒間のみを順次再生するフォルダスキャン再生とを有し、ＳＣＮキー４１Ｈの押下時間が１秒未満であると判定されると、ファイルスキャン再生を設定し、ＳＣＮキー４１Ｈの押下時間が１秒以上であると判定されると、フォルダスキャン再生を設定するものである。
【００２７】
圧縮記憶再生機能時のリピート再生は、フラッシュメモリ３１に記憶済みの音楽曲データを曲単位（ファイル単位）でリピート再生するファイルリピート再生と、フラッシュメモリ３１に記憶済みのディスク単位（フォルダ単位）で同フォルダ内の音楽曲データをリピート再生するフォルダリピート再生とを有し、ＲＰＴキー４１Ｉの押下時間が１秒未満であると判定されると、ファイルリピート再生を設定し、ＲＰＴキー４１Ｉの押下時間が１秒以上であると判定されると、フォルダリピート再生を設定するものである。
【００２８】
圧縮記憶再生機能時のランダム再生は、フォルダ内の全音楽曲データをランダム再生するフォルダ内ランダム再生と、フラッシュメモリ３１内の全音楽曲データをランダム再生するメモリ内ランダム再生とを有し、ＲＤＭキー４１Ｊの押下時間が１秒未満であると判定されると、フォルダ内ランダム再生を設定し、ＲＤＭキー４１Ｊの押下時間が１秒以上であると判定されると、メモリ内ランダム再生を設定するものである。
【００２９】
図３は本実施の形態に関わる車載用オーディオ装置１のマイコン６内部の概略構成を示すブロック図である。
【００３０】
図３に示すマイコン６は、ディスク再生部２１から記憶対象の音楽曲データをフラッシュメモリ３１に圧縮記憶すべく、ＤＳＰ２２及びディスク再生部２１を駆動制御する記憶駆動制御部６１と、ディスク再生部２１を通じてディスクの固有識別情報を検出する固有識別情報検出部６２と、フォルダ管理メモリ３２の制御を司るフォルダ管理部６３と、記憶対象の音楽曲データの記憶指令を検出すると、この記憶対象の音楽曲データに対応した固有識別情報に該当する固有識別情報（ディスク情報及びトラック番号）がフォルダ管理メモリ３２内にあるか否かを判定する情報判定部６４と、記憶対象の音楽曲データをフラッシュメモリ３１に記憶できる状態、すなわち記憶可能状態であるか否かを判定する記憶可能状態判定部６５と、操作パネル５内の操作部４０の操作を監視する操作監視部６６と、操作パネル５内の表示部５０に報知内容を報知すべく、表示部５０を駆動制御する報知駆動制御部６７と、このマイコン６全体の制御を司る制御部６８とを有している。
【００３１】
制御部６８は、記憶機能を起動する記憶モードを設定可能とし、この記憶モードは、ディスク単位で同ディスク内の全音楽曲データをフラッシュメモリ３１に圧縮記憶するディスク記憶処理と、曲単位で１音楽曲データをフラッシュメモリ３１に圧縮記憶する１トラック記憶処理とを有している。
【００３２】
制御部６８は、１トラック記憶処理中に、情報判定部６４にて記憶対象の音楽曲データに対応した固有識別情報に該当する固有識別情報（ディスク情報及びトラック番号）がフォルダ管理メモリ３２内にあると判定されると、この記憶対象の音楽曲データをフラッシュメモリ３１に圧縮記憶する記憶動作を禁止すると共に、情報判定部６４にて該当する固有識別情報（ディスク情報及びトラック番号）がフォルダ管理メモリ３２内にないと判定されると、この記憶対象の音楽曲データをフラッシュメモリ３１に圧縮記憶させるようにした。
【００３３】
制御部６８は、ディスク記憶処理中に、情報判定部６４にて該当固有識別情報（ディスク情報及びトラック番号）があると判定されると、この記憶対象の音楽曲データをフラッシュメモリ３１に圧縮記憶する記憶動作を禁止すると共に、情報判定部６４にて該当固有識別情報（ディスク情報及びトラック番号）がないと判定されると、ディスクに記録された音楽曲データの内、フラッシュメモリ３１に未記憶の音楽曲データを記憶するようにした。
【００３４】
記憶可能状態判定部６５は、記憶可能状態であるか否かを判定するものであり、例えばディスク再生部２１が特殊再生中の場合、フラッシュメモリ３１の空き容量に記憶対象の音楽曲データを記憶できるまでの容量が残っていない場合、記憶対象の音楽曲データを記録したディスクが記憶可能ディスクでない場合や、記憶対象の音楽曲データがフラッシュメモリ３１内に記憶済みである場合等には記憶可能状態でない、すなわち記憶不可能状態であることを認識するものである。尚、ディスク再生部２１にディスクが装着されていない場合も、記憶対象の音楽曲データがないため、記憶不可能状態であると認識するものである。
【００３５】
フォルダ管理部６３は、フラッシュメモリ３１内のフォルダ及び、同フォルダ内に圧縮記憶した音楽曲データ（ファイル）を固有識別情報と対応付けることでフォルダ管理情報を生成し、このフォルダ管理情報をフォルダ管理メモリ３２に記憶管理するものである。
【００３６】
制御部６８は、消去機能を起動する消去モードを設定可能とし、この消去モードは、フラッシュメモリ３１内に記憶済みの音楽曲データをファイル単位又はフォルダ単位で消去するファイル／フォルダ消去処理と、フラッシュメモリ３１内に記憶済みの全フォルダ及び全音楽曲データを一括消去するオール消去処理とを有している。尚、ファイル／フォルダ消去処理で消去する消去対象の音楽曲データは、例えばファイル再生中若しくはファイル一時停止中の音楽曲データや、ＵＰキー４１Ｆ及びＤＯＷＮキー４１Ｇで選択した音楽曲データに相当し、消去対象のフォルダは、例えばファイル再生中若しくはファイル一時停止中の音楽曲データを含むフォルダ、ＵＰキー４１Ｆ及びＤＯＷＮキー４１Ｇで選択された音楽曲データを含むフォルダ、ＵＰキー４１Ｆ及びＤＯＷＮキー４１Ｇで選択されたフォルダに相当するものである。
【００３７】
さらに、マイコン６は、フラッシュメモリ３１から消去対象の音楽曲データを消去する前に、フラッシュメモリ３１から消去対象の音楽曲データを消去した場合のフラッシュメモリ３１の空き容量を算出する空き容量算出部７１と、この空き容量算出部７１にて算出した空き容量に基づいて残量予定時間を算出する残量時間算出部７２と、フラッシュメモリ３１内のフォルダが空きフォルダであるか否かを判定する空きフォルダ判定部７３とを有している。
【００３８】
残量時間算出部７２は、空き容量算出部７１にて算出した空き容量と現在の記憶設定モードの記憶ビットレート（ＨＱモード又はＬＰモード）とに基づいて残量予定時間を算出するものである。
【００３９】
制御部６８は、フラッシュメモリ３１のフォルダ内から記憶済みの音楽曲データを消去すると、空きフォルダ判定部７３にて同フォルダが空きフォルダであるか否かを判定し、同フォルダが空きフォルダであると判定されると、同空きフォルダをフラッシュメモリ３１から消去するものである。
【００４０】
図４はフォルダ管理メモリ３２のメモリ内容であるフォルダ管理情報の一例を示す説明図である。
【００４１】
フォルダ管理メモリ３２は、フォルダ毎にフォルダ管理情報を記憶管理している。このフォルダ管理情報は、フラッシュメモリ３１内に形成したフォルダを識別するフォルダ番号と、同フォルダに記憶するディスクの固有識別情報内のＴＯＣ情報に含まれるディスク情報と、このフォルダ内に記憶済みの音楽曲データに付与されるフォルダ内でのファイル番号と、同固有識別情報に含まれる音楽曲データのトラック番号と、同音楽曲データをフラッシュメモリ３１に記憶した記憶設定モードとを有し、フォルダ単位で記憶した複数の音楽曲データの固有識別情報（ディスク情報及びトラック番号）を記憶管理している。
【００４２】
例えばフォルダ番号“１”のフォルダには、“Ａ”のディスクのトラック番号“１”、“２”及び“３”の音楽曲データをファイル番号“００１”、“００２”、“００３”としてフラッシュメモリ３１にＨＱモードで圧縮記憶されている例を示している。
【００４３】
また、フォルダ番号“７”のフォルダには、“Ｆ”のディスクのトラック番号“３”の音楽曲データをファイル番号“００１”としてフラッシュメモリ３１にＨＱモードで圧縮記憶し、トラック番号“５”の音楽曲データをファイル番号“００２”としてＨＱモードで圧縮記憶し、トラック番号“１”の音楽曲データをファイル番号“００３”としてフラッシュメモリ３１にＬＰモードで圧縮記憶されている例を示している。
【００４４】
尚、請求項記載のオーディオ装置は車載用オーディオ装置１、記憶手段はフラッシュメモリ３１、記憶制御手段はディスク再生部２１、ＤＳＰ２２及び記憶駆動制御部６１、消去手段はＤＳＰ２２、制御部６８及び記憶駆動制御部６１、空きフォルダ判定手段は空きフォルダ判定部７３に相当するものである。
【００４５】
次に本実施の形態を示す車載用オーディオ装置１の動作について説明する。図５は本実施の形態に関わる車載用オーディオ装置１の記憶モード処理に関わるマイコン６の処理動作を示すフローチャートである。
【００４６】
図５に示す記憶モード処理とは、ディスク再生部２１にて記憶対象の音楽曲データをフラッシュメモリ３１に圧縮記憶する処理である。
【００４７】
図５においてマイコン６の操作監視部６６は、ＲＥＣキー４２の押下操作を検出したか否かを判定する（ステップＳ１１）。
【００４８】
マイコン６の制御部６８は、ＲＥＣキー４２の押下操作を検出したのであれば、ディスク再生部２１にてディスク再生中であるか否かを判定する（ステップＳ１２）。
【００４９】
操作監視部６６は、ディスク再生中であると判定されると、所定時間タイマをスタートする（ステップＳ１３）。尚、この所定時間タイマとは、押下操作時間（例えば２秒間）を計時するタイマに相当するものである。
【００５０】
操作監視部６６は、所定時間タイマをスタートすると、ステップＳ１１のＲＥＣキー４２の押下時間が所定時間未満であるか否かを判定する（ステップＳ１４）。制御部６８は、ＲＥＣキー４２の押下時間が所定時間未満であると判定されると、図６の１トラック記憶処理に移行し（ステップＳ１５）、この１トラック記憶処理を実行した後、この記憶モード処理を終了する。
【００５１】
また、制御部６８は、ステップＳ１４にてＲＥＣキー４２の押下時間が所定時間未満でないと判定されると、図７のディスク記憶処理に移行し（ステップＳ１６）、このディスク記憶処理を実行した後、この記憶モード処理を終了する。
【００５２】
また、ステップＳ１１にてＲＥＣキー４２の押下操作を検出したのでなければ、又はステップＳ１２にてディスク再生中でなければ、この記憶モード処理を終了する。
【００５３】
この記憶モード処理によれば、ディスク再生部２１によるディスク再生中にＲＥＣキー４２の押下操作を検出し、この押下時間が所定時間未満であると判定されると、１トラック記憶処理に移行し、押下時間が所定時間未満でないと判定されると、ディスク記憶処理に移行するようにしたので、単一のＲＥＣキー４２のキー操作だけで１トラック記憶処理又はディスク記憶処理に移行することができる。
【００５４】
次にステップＳ１５の１トラック記憶処理について説明する。図６は１トラック記憶処理に関わるマイコン６の処理動作を示すフローチャートである。
【００５５】
図６に示す１トラック記憶処理は、現在ディスク再生中の音楽曲データを記憶対象の音楽曲データとしてフラッシュメモリ３１に圧縮記憶する、１トラック単位の記憶処理である。
【００５６】
図６においてマイコン６の制御部６８は、ディスク再生部２１にて特殊再生中であるか否かを判定する（ステップＳ２１）。尚、この特殊再生とは、例えばスキャン再生、リピート再生やランダム再生等である。
【００５７】
制御部６８は、ディスク再生部２１にて特殊再生中でないと判定されると、現在の通常再生を停止する（ステップＳ２２）。尚、この通常再生の停止は、記憶対象の音楽曲データの再生が終了してしまうのを防止するためである。
【００５８】
記憶可能状態判定部６５は、ＤＳＰ２２を通じてフラッシュメモリ３１の空き容量と、ディスク再生部２１を通じて記憶対象の音楽曲データ（指定トラック）の容量とを夫々チェックし（ステップＳ２３）、フラッシュメモリ３１内に指定トラックを記憶することができるだけの空き容量があるか否かを判定する（ステップＳ２４）。
【００５９】
さらに記憶可能状態判定部６５は、フラッシュメモリ３１内に記憶可能な空き容量があると判定されると、ディスク再生部２１を通じて同記憶対象の音楽曲データを記録したディスクが記憶可能ディスクであるか否かを判定する（ステップＳ２５）。尚、この記憶可能ディスクとは、例えばＣＤ−ＤＡであり、記憶不可能ディスクとは、例えばコピープロテクションディスク（以下、単にＣＣＣＤ）の他に、例えばＣＤ−Ｒや、ＭＰ３、ＷＭＡの圧縮音楽曲データのみが記憶されたディスク等があげられる。
【００６０】
情報判定部６４は、ステップＳ２５にて記憶可能ディスクであると判定されると、固有識別情報検出部６２を通じてディスクの固有識別情報を検出し、この固有識別情報に含まれるディスク情報に対応したフォルダがフォルダ情報メモリ３２内にあるか否かを、フォルダ管理情報に基づいて判定する（ステップＳ２６）。
【００６１】
情報判定部６４は、同ディスクのディスク情報に対応したフォルダがあると判定されると、フォルダ管理情報に基づいて、同フォルダ内に同記憶対象の音楽曲データ（指定トラック）が未記憶であるか否かを判定する（ステップＳ２７）。
【００６２】
尚、同フォルダ内に記憶対象の音楽曲データが未記憶であるか否かは、フォルダ管理情報内の同ディスクに対応するトラック番号内に、同指定トラックの固有識別情報に含まれるトラック番号があるか否かで判断するものである。つまり、フォルダ管理情報内の同ディスクに対応するトラック番号内に同指定トラックのトラック番号があると判定されると、同フォルダ内に同記憶対象の音楽曲データが記憶済みであると判断し、フォルダ管理情報内の同ディスクに対応するトラック番号内に、同指定トラックのトラック番号がないと判定されると、同フォルダ内に同記憶対象の音楽曲データが未記憶であると判断するものである。
【００６３】
制御部６８は、ステップＳ２７にて同フォルダ内に指定トラックが未記憶であると判定されると、報知駆動制御部６７を通じて、ＲＥＣキー４２のキーイルミネーション表示部５２を緑色点灯する（ステップＳ２８）。尚、ユーザは、ＲＥＣキー４２のキーイルミネーション表示部５２の緑色点灯で記憶動作の開始を認識するものである。
【００６４】
さらに制御部６８は、図５のステップＳ１１のＲＥＣキー４２による記憶操作の受付を有効にすることで、記憶駆動制御部６１を通じて、現在停止中のトラック再生を指定トラックの先頭に戻し、この指定トラックの先頭からフラッシュメモリ３１の同フォルダ内への記憶動作を開始する（ステップＳ２９）。
【００６５】
制御部６８は、報知駆動制御部６７を通じて、ＲＥＣキー４２のキーイルミネーション表示部５２を緑色点滅し（ステップＳ３０）、ＬＣＤ表示部５３に“ＴＲＡＣＫ  ＲＥＣ”を表示する（ステップＳ３１）。尚、ユーザは、ＲＥＣキー４２のキーイルミネーション表示部５２の緑色点滅で記憶動作中であることを認識することができ、さらには“ＴＲＡＣＫ  ＲＥＣ”で１トラック記憶が行われていることを認識することができる。
【００６６】
制御部６８は、記憶駆動制御部６１を通じて記憶対象の音楽曲データの記憶動作が完了したか否かを判定する（ステップＳ３２）。制御部６８は、記憶動作が完了したのであれば、ＲＥＣキー４２のキーイルミネーション表示部５２を消灯し（ステップＳ３３）、ＬＣＤ表示部５３に“ＲＥＣ  ＤＯＮＥ”を表示する（ステップＳ３４）。尚、ユーザは、ＲＥＣキー４２のキーイルミネーション表示部５２の消灯及び“ＲＥＣ  ＤＯＮＥ”の表示で記憶動作が完了したことを認識することができる。
【００６７】
さらに制御部６８は、フォルダ管理部６３を通じてフォルダ内に記憶した音楽曲データに関わるフォルダ管理情報、例えば図４に示すフォルダ番号、ディスク情報、ファイル番号、本来のトラック番号及び記憶設定モードをフォルダ管理メモリ３２に記憶更新することで（ステップＳ３５）、この１トラック記憶処理の処理動作を終了する。
【００６８】
制御部６８は、ステップＳ２１にて特殊再生中であると判定されると、図５のステップＳ１１のＲＥＣキー４２による記憶操作の受付を無効にし、報知駆動制御部６７を通じてＬＣＤ表示部５３に“ＢＵＳＹ”を表示することで（ステップＳ３６）、この処理動作を終了する。尚、ユーザは、“ＢＵＳＹ”の表示で特殊再生中のため記憶動作を行うことができないことを認識することができる。
【００６９】
また、制御部６８は、ステップＳ２４にてフラッシュメモリ３１内に指定トラックの記憶可能な空き容量がないと判定されると、図５のステップＳ１１のＲＥＣキー４２による記憶操作の受付を無効にし、報知駆動制御部６７を通じてＬＣＤ表示部５３に“ＭＥＭＯＲＹ  ＦＵＬＬ”を表示することで（ステップＳ３７）、この処理動作を終了する。尚、ユーザは、“ＭＥＭＯＲＹ  ＦＵＬＬ”の表示でフラッシュメモリ３１の空き容量がないため、記憶動作を行うことができないことを認識することができる。
【００７０】
また、制御部６８は、ステップＳ２５にて指定ディスクが記憶可能ディスクでないと判定されると、図５のステップＳ１１のＲＥＣキー４２による記憶操作の受付を無効にし、報知駆動制御部６７を通じてＬＣＤ表示部５３に“ＮＯ  ＲＥＣ”を表示することで（ステップＳ３８）、この処理動作を終了する。尚、ユーザは、“ＮＯ  ＲＥＣ”の表示で記憶可能なディスクでないため、記憶動作を行うことができないことを認識することができる。
【００７１】
また、制御部６８は、ステップＳ２７にてフォルダ内に記憶対象の音楽曲データ（指定トラック）が未記憶でない、すなわち記憶済みであると判定されると、図５のステップＳ１１のＲＥＣキー４２による記憶操作の受付を無効にし、報知駆動制御部６７を通じてＬＣＤ表示部５３に“ＩＮＣＬＵＤＥＤ”を表示することで（ステップＳ３９）、この処理動作を終了する。尚、ユーザは、“ＩＮＣＬＵＤＥＤ”の表示で記憶済みであることを認識することができる。
【００７２】
また、制御部６８は、ステップＳ２６にて指定ディスクに対応したフォルダがフラッシュメモリ３１内にないと判定されると、この指定ディスクに対応したフォルダをフラッシュメモリ３１に作成し（ステップＳ４０）、記憶動作を開始すべく、ステップＳ２８に移行する。
【００７３】
図６に示す１トラック記憶処理によれば、現在ディスク再生中の音楽曲データをフラッシュメモリ３１内に圧縮記憶する際に同ディスクの固有識別情報及びフォルダ管理情報に基づいて同ディスクの記憶対象の音楽曲データがフラッシュメモリ３１内に記憶されているか否かを判定し、記憶対象の音楽曲データがフラッシュメモリ３１内に記憶されていないと判定されると、同記憶対象の音楽曲データをフラッシュメモリ３１に圧縮記憶すると共に、記憶対象の音楽曲データがフラッシュメモリ３１内に記憶されていると判定されると、同記憶対象の音楽曲データをフラッシュメモリ３１に記憶する記憶動作を禁止するようにしたので、１トラック単位での重複記憶を確実に防止することができる。
【００７４】
また、このような１トラック記憶処理によれば、ＲＥＣキー４２のキー操作（記憶操作）を検出したとしても、記憶不可能状態、例えば現在のディスク再生が特殊再生中の場合、フラッシュメモリ３１の空き容量が記憶対象の音楽曲データの容量に満たない場合、同指定トラックを記録したディスクが記憶可能ディスクでない場合、又はフラッシュメモリ３１内に同記憶対象の音楽曲データが記憶済みの場合には、ＲＥＣキー４２のキー操作の受付を無効とし、記憶動作を行わないようにしたので、１トラック単位での無駄な記憶動作を回避することができる。
【００７５】
このような１トラック記憶処理によれば、記憶可能状態の場合にはＲＥＣキー４２のキーイルミネーション表示部５２を緑色点灯し、記憶動作中の場合にはＲＥＣキー４２のキーイルミネーション表示部５２を緑色点滅し、記憶不可能状態の場合にはＲＥＣキー４２のキーイルミネーション表示部５２を消灯するようにしたので、ユーザはＲＥＣキー４２のキーイルミネーション表示部５２を目視するだけで記憶に関わる様々な状態を認識することができる。
【００７６】
次に図５に示すステップＳ１６のディスク記憶処理について説明する。図７はディスク記憶処理に関わるマイコン６の処理動作を示すフローチャートである。
【００７７】
図７に示すディスク記憶処理は、記憶対象の音楽曲データを記録したディスクの全音楽曲データを記憶対象としてフラッシュメモリ３１に圧縮記憶する、ディスク単位の記憶処理である。
【００７８】
図７においてマイコン６の制御部６８は、ディスク再生部２１にて特殊再生中であるか否かを判定する（ステップＳ５１）。
【００７９】
制御部６８は、ディスク再生部２１にて特殊再生中でないと判定されると、現在の通常再生を停止する（ステップＳ５２）。尚、この通常再生の停止は、記憶対象の音楽曲データを記録したディスク再生が終了してしまうの防止するためである。
【００８０】
記憶可能状態判定部６５は、ＤＳＰ２２を通じてフラッシュメモリ３１の空き容量と、ディスク再生部２１を通じて記憶対象のディスクの全音楽曲データ（指定ディスク）の容量とを夫々チェックし（ステップＳ５３）、フラッシュメモリ３１内に指定ディスクを記憶することができるだけの空き容量があるか否かを判定する（ステップＳ５４）。
【００８１】
さらに記憶可能状態判定部６５は、フラッシュメモリ３１内に記憶可能な空き容量があると判定されると、ディスク再生部２１を通じて指定ディスクが記憶可能ディスクであるか否かを判定する（ステップＳ５５）。
【００８２】
制御部６８は、ステップＳ５５にて記憶可能ディスクであると判定されると、記憶駆動制御部６１を通じて指定ディスクの先頭トラックに待機する（ステップＳ５６）。
【００８３】
さらに情報判定部６４は、固有識別情報検出部６２を通じてディスクの固有識別情報を検出し、この固有識別情報に含まれるディスク情報に対応したフォルダがフォルダ管理メモリ３２内にあるか否かを、フォルダ管理情報に基づいて判定する（ステップＳ５７）。
【００８４】
情報判定部６４は、同ディスクのディスク情報に対応したフォルダがあると判定されると、フォルダ管理情報に基づいて、同フォルダ内に同指定ディスクの全音楽曲データが記憶済みであるか否かを判定する（ステップＳ５８）。
【００８５】
尚、同フォルダ内に指定ディスクの全音楽曲データが記憶済みであるか否かは、同ディスクに対応したフォルダ管理情報内の全音楽曲データに関わるトラック番号が、同ディスクの固有識別情報に含まれる全音楽曲データに関わるトラック番号と合致しているかを判断するものである。つまり、フォルダ管理情報内の同ディスクに対応する全音楽曲データに関わる全トラック番号と同ディスクの固有識別情報に含まれる全音楽曲データに関わる全トラック番号とが合致していると判定されると、同フォルダ内に指定ディスクの全音楽曲データが記憶済みであると判断し、フォルダ管理情報内の同ディスクに対応する全音楽曲データに関わる全トラック番号と同ディスクの固有識別情報に含まれる全音楽曲データに関わる全トラック番号と合致していないと判定されると、同フォルダ内に指定ディスクの全音楽曲データが記憶済みでないと判断するものである。
【００８６】
制御部６８は、ステップＳ５８にてフォルダ管理情報に基づいて指定ディスクの全音楽曲データが記憶済みでないと判定されると、報知駆動制御部６７を通じて、ＲＥＣキー４２のキーイルミネーション表示部５２を緑色点灯する（ステップＳ５９）。尚、ユーザは、ＲＥＣキー４２のキーイルミネーション表示部５２の緑色点灯で記憶動作の開始を認識するものである。
【００８７】
さらに制御部６８は、図５のステップＳ１１のＲＥＣキー４２による記憶操作の受付を有効にすることで、記憶駆動制御部６１を通じて、現在待機中の先頭トラックから未記憶のトラックの先頭に戻り、未記憶の先頭トラックからフラッシュメモリ３１の同フォルダ内への記憶動作を開始する（ステップＳ６０）。尚、未記憶の先頭トラックからの記憶動作とは、例えばディスクに記録した１０曲の音楽曲データ内、トラック番号“２”及び“６”の音楽曲データを除いて、全ての音楽曲データがフラッシュメモリ３１に記憶済みの場合、まずは、未記憶のトラック番号“２”の音楽曲データを記憶し、その後、未記憶のトラック番号“６”の音楽曲データを同ディスクに対応したフォルダ内に記憶するものである。
【００８８】
制御部６８は、未記憶の先頭トラックからフラッシュメモリ３１の同フォルダ内への記憶動作を開始すると、報知駆動制御部６７を通じて、ＲＥＣキー４２のキーイルミネーション表示部５２を緑色点滅し（ステップＳ６１）、ＬＣＤ表示部５３に“ＤＩＳＣ  ＲＥＣ”を表示する（ステップＳ６２）。尚、ユーザは、ＲＥＣキー４２のキーイルミネーション表示部５２の緑色点滅で記憶動作中であることを認識することができ、さらには“ＤＩＳＣ  ＲＥＣ”でディスク記憶が行われていることを認識することができる。
【００８９】
制御部６８は、記憶駆動制御部６１を通じて指定ディスク内の未記憶の全音楽曲データの記憶動作が完了したか否かを判定する（ステップＳ６３）。制御部６８は、記憶動作が完了したのであれば、ＲＥＣキー４２のキーイルミネーション表示部５２を消灯し（ステップＳ６４）、ＬＣＤ表示部５３に“ＲＥＣ  ＤＯＮＥ”を表示する（ステップＳ６５）。尚、ユーザは、ＲＥＣキー４２のキーイルミネーション表示部５２の消灯及び“ＲＥＣ  ＤＯＮＥ”の表示で記憶動作が完了したことを認識することができる。
【００９０】
制御部６８は、フォルダ管理部６３を通じてフォルダ内に記憶した音楽曲データに関わるフォルダ管理情報、例えば図４に示すフォルダ番号、ディスク情報、ファイル番号、本来のトラック番号及び記憶設定モードをフォルダ管理メモリ３２に記憶更新することで（ステップＳ６６）、このディスク記憶処理の処理動作を終了する。
【００９１】
制御部６８は、ステップＳ５１にて特殊再生中であると判定されると、図５のステップＳ１１のＲＥＣキー４２による記憶操作の受付を無効にし、報知駆動制御部６７を通じてＬＣＤ表示部５３に“ＢＵＳＹ”を表示することで（ステップＳ６７）、この処理動作を終了する。尚、ユーザは、“ＢＵＳＹ”の表示で特殊再生中のため記憶動作を行うことができないことを認識することができる。
【００９２】
また、制御部６８は、ステップＳ５４にてフラッシュメモリ３１内に指定ディスクの記憶可能な空き容量がないと判定されると、図５のステップＳ１１のＲＥＣキー４２による記憶操作の受付を無効にし、報知駆動制御部６７を通じてＬＣＤ表示部５３に“ＭＥＭＯＲＹ  ＦＵＬＬ”を表示することで（ステップＳ６８）、この処理動作を終了する。尚、ユーザは、“ＭＥＭＯＲＹ  ＦＵＬＬ”の表示でフラッシュメモリ３１の空き容量がないため、記憶動作を行うことができないことを認識することができる。
【００９３】
また、制御部６８は、ステップＳ５５にて指定ディスクが記憶可能ディスクでないと判定されると、図５のステップＳ１１のＲＥＣキー４２による記憶操作の受付を無効にし、報知駆動制御部６７を通じてＬＣＤ表示部５３に“ＮＯ  ＲＥＣ  ＤＩＳＣ”を表示することで（ステップＳ６９）、この処理動作を終了する。尚、ユーザは、“ＮＯ  ＲＥＣ  ＤＩＳＣ”の表示で記憶可能なディスクでないため、記憶動作を行うことができないことを認識することができる。
【００９４】
また、制御部６８は、ステップＳ５８にてフォルダ管理情報に基づいて指定ディスクの全音楽曲データが記憶済みであると判定されると、図５のステップＳ１１のＲＥＣキー４２による記憶操作の受付を無効にし、報知駆動制御部６７を通じてＬＣＤ表示部５３に“ＩＮＣＬＵＤＥＤ”を表示することで（ステップＳ７０）、この処理動作を終了する。尚、ユーザは、“ＩＮＣＬＵＤＥＤ”の表示で記憶済みであることを認識することができる。
【００９５】
また、制御部６８は、ステップＳ５７にて指定ディスクに対応したフォルダがフラッシュメモリ３１内にないと判定されると、この指定ディスクに対応したフォルダをフラッシュメモリ３１に作成し（ステップＳ７１）、報知駆動制御部６７を通じてＲＥＣキー４２のキーイルミネーション表示部５２を緑色点灯する（ステップＳ７２）。
【００９６】
さらに制御部６８は、現在待機中の指定ディスク内の先頭トラックからフラッシュメモリ３１の同フォルダ内への記憶動作を開始し（ステップＳ７３）、ステップＳ６１に移行する。
【００９７】
このように図７に示すディスク記憶処理によれば、現在ディスク再生中のディスク内の全音楽曲データをフラッシュメモリ３１内に圧縮記憶する際に同ディスクの固有識別情報及びフォルダ管理情報に基づいて同ディスクの記憶対象の音楽曲データがフラッシュメモリ３１内に記憶されているか否かを判定し、同ディスク内の全音楽曲データの内、フラッシュメモリ３１内に未記憶の音楽曲データがあると判定されると、同未記憶の音楽曲データのみをフラッシュメモリ３１に記憶すると共に、同ディスク内の全音楽曲データがフラッシュメモリ３１内に記憶済みであると判定されると、この記憶動作を禁止するようにしたので、ディスク単位での重複記憶を確実に防止することができる。
【００９８】
また、このようなディスク記憶処理によれば、ＲＥＣキー４２のキー操作（記憶操作）を検出したとしても、記憶不可能状態、例えば現在のディスク再生が特殊再生中の場合、フラッシュメモリ３１の空き容量が記憶対象のディスクの全音楽曲データの容量に満たない場合、同指定ディスクが記憶可能ディスクでない場合、又はフラッシュメモリ３１内に同記憶対象の音楽曲データが記憶済みの場合には、ＲＥＣキー４２によるキー操作の受付を無効とし、記憶動作を行わないようにしたので、ディスク単位での無駄な記憶動作を回避することができる。
【００９９】
このようなディスク記憶処理によれば、記憶可能状態の場合にはＲＥＣキー４２のキーイルミネーション表示部５２を緑色点灯し、記憶動作中の場合にはＲＥＣキー４２のキーイルミネーション表示部５２を緑色点滅し、記憶不可能状態の場合にはＲＥＣキー４２のキーイルミネーション表示部５２を消灯するようにしたので、ユーザはＲＥＣキー４２のキーイルミネーション表示部５２を目視するだけで記憶に関わる様々な状態を認識することができる。
【０１００】
このように図６の１トラック記憶処理及び図７のディスク記憶処理にてフラッシュメモリ３１に記憶対象の音楽曲データを記憶するものであるが、次に、このフラッシュメモリ３１に記憶した音楽曲データを消去する動作について説明する。
【０１０１】
図８は本実施の形態を示す車載用オーディオ装置１の消去モード処理に関わるマイコン６の処理動作を示すフローチャートである。
【０１０２】
図８に示す消去モード処理は、ＥＲＳキー４４のキー操作に応じて、フラッシュメモリ３１内に記憶済みの音楽曲データを消去するファイル／フォルダ消去処理、又はフラッシュメモリ３１を初期化するオール消去処理に設定する処理である。
【０１０３】
図８においてマイコン６の操作監視部６６は、ＥＲＳキー４４の押下操作を検出したか否かを判定する（ステップＳ８１）。
【０１０４】
制御部６８は、ＥＲＳキー４４の押下操作を検出したのであれば、所定時間タイマをスタートする（ステップＳ８２）。尚、この所定時間タイマとは、押下操作時間（例えば２秒間）を計時するタイマに相当するものである。
【０１０５】
操作監視部６６は、所定時間タイマをスタートすると、ステップＳ８１のＥＲＳキー４４の押下時間が所定時間未満であるか否かを判定する（ステップＳ８３）。制御部６８は、ＥＲＳキー４４の押下時間が所定時間未満であると判定されると、フラッシュメモリ３１内の音楽曲データをフォルダ単位又はファイル単位で消去する図９のファイル／フォルダ消去処理に移行し（ステップＳ８４）、このファイル／フォルダ消去処理を実行した後、この消去モード処理を終了する。
【０１０６】
また、制御部６８は、ステップＳ８３にてＥＲＳキー４４の押下時間が所定時間未満でないと判定されると、フラッシュメモリ３１を初期化する図１２のオール消去処理に移行し（ステップＳ８５）、このオール消去処理を実行した後、この消去モード処理を終了する。
【０１０７】
操作監視部６６は、ＥＲＳキー４４の押下操作を検出したのでなければ、この消去モード処理の処理動作を終了する。
【０１０８】
図８に示す消去モード処理によれば、ＥＲＳキー４４の押下操作を検出し、この押下時間が所定時間未満であると判定されると、フラッシュメモリ３１に記憶した音楽曲データをフォルダ単位又はファイル単位で消去するファイル／フォルダ消去処理に移行し、その押下時間が所定時間未満でないと判定されると、フラッシュメモリ３１を初期化するオール消去処理に移行するようにしたので、単一のＥＲＳキー４４のキー操作だけでファイル／フォルダ消去処理又はオール消去処理に移行することができる。
【０１０９】
次にステップＳ８４のファイル／フォルダ消去処理について説明する。図９はファイル／フォルダ消去処理に関わるマイコン６の処理動作を示すフローチャートである。
【０１１０】
図９に示すファイル／フォルダ消去処理とは、フラッシュメモリ３１に記憶済みの音楽曲データをファイル単位（１トラック単位）で消去すると共に、フラッシュメモリ３１に記憶済みの音楽曲データをフォルダ単位（ディスク単位）で消去する処理である。
【０１１１】
図９においてマイコン６の制御部６８は、フラッシュメモリ３１に記憶済みの音楽曲データを再生するファイル再生若しくはファイル再生一時停止中であるか否かを判定する（ステップＳ９１）。
【０１１２】
制御部６８は、ファイル再生若しくはファイル再生一時停止中であると判定されると、このファイル再生を停止することで（ステップＳ９２）、ファイル消去機能を起動すべく、図１０に示すファイル消去表示処理に移行する（ステップＳ９３）。尚、ステップＳ９２のファイル再生停止は、消去対象の音楽曲データ、すなわちファイル再生中若しくはファイル一時停止中の音楽曲データが次の曲に移ってしまうのを防止するためである。
【０１１３】
マイコン６の操作監視部６６は、ステップＳ９３のファイル消去表示処理を実行後、ＥＲＳキー４４の押下操作を検出したか否かを判定する（ステップＳ９４）。ＥＲＳキー４４の押下操作を検出したのでなければ、ＥＮＴキー４３の押下操作を検出したか否かを判定する（ステップＳ９５）。
【０１１４】
マイコン６の制御部６８は、ＥＮＴキー４３の押下操作を検出したのであれば、所定時間タイマをスタートする（ステップＳ９６）。尚、この所定時間タイマは、押下操作時間（例えば２秒間）を計時するタイマに相当するものである。
【０１１５】
操作監視部６６は、所定時間タイマをスタートすると、ＥＮＴキー４３の押下時間が所定時間未満であるか否かを判定する（ステップＳ９７）。
【０１１６】
制御部６８は、ＥＮＴキー４３の押下時間が所定時間未満でないと判定されると、記憶駆動制御部６１を通じて消去対象の音楽曲データ、すなわち消去対象のファイルをフラッシュメモリ３１のフォルダから消去する消去動作を開始する（ステップＳ９８）。
【０１１７】
制御部６８は、フォルダから消去対象の音楽曲データを消去する消去動作が完了したか否かを判定する（ステップＳ９９）。
【０１１８】
空きフォルダ判定部７３は、消去動作が完了したのであれば、消去対象の音楽曲データを消去したフォルダ内に他のファイル、すなわち他の音楽曲データがあるか否かを判定する（ステップＳ１００）。
【０１１９】
フォルダ管理部６３は、ステップＳ１００にて消去対象の音楽曲データを消去したフォルダ内に他のファイルがあると判定されると、同フォルダに関わるフォルダ管理情報を更新することで（ステップＳ１０１）、このファイル／フォルダ消去処理の処理動作を終了する。
【０１２０】
また、ステップＳ９１にてファイル再生中若しくはファイル一時停止中でないと判定されると、ステップＳ９３に移行する。
【０１２１】
また、操作監視部６６は、ステップＳ９５にてＥＮＴキー４３の押下操作を検出したのでなければ、他のキーの押下操作を検出したか否かを判定する（ステップＳ１０２）。他のキーの押下操作を検出したのであれば、同キーに対応した処理動作を実行すべく、この処理動作を終了する。
【０１２２】
また、操作監視部６６は、ステップＳ９７にてＥＮＴキー４３の押下時間が所定時間未満であると判定されると、このＥＮＴキー４３のキー操作を受け付けず、この処理動作を終了する。
【０１２３】
また、報知駆動制御部６７は、ステップＳ９９にて消去対象の音楽曲データに関わる消去動作を完了したのでなければ、消去動作中であると判断し、“ＥＲＡＳＩＮＧ”をＬＣＤ表示部５３に表示することで（ステップＳ１０３）、ステップＳ９９の監視動作に移行する。尚、ユーザは、“ＥＲＡＳＩＮＧ”の表示で消去対象の音楽曲データの消去動作が行われていることを認識することができる。
【０１２４】
また、操作監視部６６は、ステップＳ９４にてＥＲＳキー４４の押下操作を検出したのであれば、フォルダ消去機能を起動すべく、図１１に示すフォルダ消去表示処理に移行し（ステップＳ１０４）、このフォルダ消去表示処理を実行後、ＥＲＳキー４４の押下操作を検出したか否かを判定する（ステップＳ１０５）。
【０１２５】
操作監視部６６は、ＥＲＳキー４４の押下操作を検出したのでなければ、ＥＮＴキー４３の押下操作を検出したか否かを判定する（ステップＳ１０６）。
【０１２６】
制御部６８は、ＥＮＴキー４３の押下操作を検出したのであれば、所定時間タイマをスタートし（ステップＳ１０７）、このＥＮＴキー４３の押下時間が所定時間未満であるか否かを判定する（ステップＳ１０８）。
【０１２７】
制御部６８は、このＥＮＴキー４３の押下時間が所定時間未満でなければ、この消去対象フォルダをフラッシュメモリ３１から消去する消去動作を開始する（ステップＳ１０９）。尚、この消去対象のフォルダの消去動作とは、フラッシュメモリ３１内から消去対象のフォルダ、すなわち同フォルダ及び同フォルダ内に記憶した全音楽曲データも消去する動作である。
【０１２８】
制御部６８は、消去対象のフォルダの消去動作が完了したか否かを判定する（ステップＳ１１０）。
【０１２９】
フォルダ管理部６３は、消去対象のフォルダの消去動作を完了したのであれば、同フォルダに対応するフォルダ管理情報を削除することでフォルダ管理メモリ３２内の情報内容を更新し（ステップＳ１１１）、このファイル／フォルダ消去処理の処理動作を終了する。
【０１３０】
また、制御部６８は、ステップＳ１０５にてＥＲＳキー４４の押下操作を検出したのであれば、このファイル／フォルダ消去処理を終了する。
【０１３１】
また、操作監視部６６は、ステップＳ１０６にてＥＮＴキー４３の押下操作を検出したのでなければ、他のキーの押下操作を検出したか否かを判定する（ステップＳ１１２）。
【０１３２】
制御部６８は、他のキーの押下操作を検出したのであれば、同キーに対応した処理動作を実行すべく、この処理動作を終了する。また、ステップＳ１１２にて他のキーの押下操作を検出したのでなければ、ＥＲＳキー４４の押下操作を監視すべく、ステップＳ１０５に移行する。
【０１３３】
また、報知駆動制御部６７は、ステップＳ１１０にて消去対象のフォルダに対する消去動作が完了したのでなければ、“ＥＲＡＳＩＮＧ”をＬＣＤ表示部５３に表示することで（ステップＳ１１３）、ステップＳ１１０の監視動作に移行する。尚、ユーザは、“ＥＲＡＳＩＮＧ”の表示で消去対象のフォルダの消去動作が行われていることを認識することができる。
【０１３４】
また、フォルダ管理部６３は、ステップＳ１００にて消去対象の音楽曲データを消去したフォルダ内に他のファイル、すなわち他の音楽曲データがないと判定されると、空きフォルダであると判断し、この空きフォルダをフラッシュメモリ３１内から消去すべく、図中のＭ１、すなわちステップＳ１０９に移行する。尚、フラッシュメモリ３１内から空きフォルダを消去することで、フラッシュメモリ３１内のデータ容量を有効活用すると共に、フォルダを利用した所望の音楽曲データの検索作業を良好にすることができる。
【０１３５】
図９に示すファイル／フォルダ消去処理によれば、ファイル消去機能にてフラッシュメモリ３１に記憶済みの音楽曲データをファイル単位（１トラック単位）で消去することができると共に、フォルダ消去機能にてフラッシュメモリ３１に記憶済みの音楽曲データをフォルダ単位（ディスク単位）で消去することができる。
【０１３６】
また、図９に示すファイル／フォルダ消去処理によれば、単一のＥＲＳキー４４のキー操作だけでファイル単位のファイル消去機能及びフォルダ単位のフォルダ消去機能を切替選択することができる。
【０１３７】
さらに図９に示すファイル／フォルダ消去処理によれば、ファイル消去機能にてフラッシュメモリ３１内のフォルダに記憶済みの音楽曲データを消去した後、この音楽曲データを消去したフォルダ内に他の音楽曲データが記憶されているか否かを判定し、他の音楽曲データが記憶されていないと判定されると、すなわち同フォルダが空きフォルダであると判断し、この空きフォルダをフラッシュメモリ３１から消去するようにしたので、フラッシュメモリ３１内に空きフォルダが残るような事態を確実に防止し、その結果、フラッシュメモリ３１内のメモリ容量を有効的に活用し、さらには、フォルダを利用した所望の音楽曲データの検索作業を良好にすることができる。
【０１３８】
次にステップＳ９３のファイル消去表示処理について説明する。図１０はファイル消去表示処理に関わるマイコン６の処理動作を示すフローチャートである。
【０１３９】
図１０に示すファイル消去表示処理とは、フラッシュメモリ３１内から消去対象の音楽曲データをファイル単位で消去する前に、同消去対象の音楽曲データをファイル単位で消去した場合のフラッシュメモリ３１内の残量予定時間を表示する処理である。
【０１４０】
図１０においてマイコン６の報知駆動制御部６７は、“ＦＩＬＥ  ＥＲＡＳＥ”をＬＣＤ表示部５３に表示する（ステップＳ１２１）。尚、ユーザは、“ＦＩＬＥ  ＥＲＡＳＥ”の表示でファイル消去機能が起動したことを認識することができる。
【０１４１】
マイコン６の空き容量算出部７１は、フォルダ管理部６３を通じて消去対象の音楽曲データをフラッシュメモリ３１内から消去した場合の空き容量を算出する（ステップＳ１２２）。
【０１４２】
さらにマイコン６の残量時間算出部７２は、空き容量算出部７１にて空き容量を算出すると、現在の記憶設定モードがＨＱモードであるか否かを判定する（ステップＳ１２３）。
【０１４３】
残量時間算出部７２は、現在の記憶設定モードがＨＱモードであると判定されると、ステップＳ１２２にて算出した空き容量と、このＨＱモードの記憶ビットレートとに基づいて、ＨＱモードでの残量予定時間を算出する（ステップＳ１２４）。
【０１４４】
報知駆動制御部６７は、この残量時間算出部７２にて算出した残量予定時間をＬＣＤ表示部５３に表示することで（ステップＳ１２５）、この処理動作を終了する。尚、ユーザは、ＬＣＤ表示部５３に表示された残量予定時間に基づいて、消去対象の音楽曲データがフラッシュメモリ３１から消去された場合の残量予定時間を認識することができる。
【０１４５】
残量時間算出部７２は、ステップＳ１２３にて現在の記憶設定モードがＨＱモードでないと判定されると、ＬＰモードであると判断し、ステップＳ１２２にて算出した空き容量と、このＬＰモードの記憶ビットレートとに基づいて、ＬＰモードでの残量予定時間を算出し（ステップＳ１２６）、この算出した残量予定時間をＬＣＤ表示部５３に表示すべく、ステップＳ１２５に移行する。
【０１４６】
図１０に示すファイル消去表示処理によれば、フラッシュメモリ３１から消去対象の音楽曲データをファイル単位で消去するファイル消去動作を実行する前に、消去対象の音楽曲データをフラッシュメモリ３１から消去した場合の残量予定時間をＬＣＤ表示部５３に表示するようにしたので、ユーザは、消去対象の音楽曲データを消去する前に、そのフラッシュメモリ３１の残量予定時間を認識することができる。
【０１４７】
また、このファイル消去表示処理によれば、フラッシュメモリ３１の残量予定時間を表示するにしても、ＨＱモードで記憶する場合と、ＬＰモードで記憶する場合とでは残量予定時間が異なることから、現在の記憶設定モードに対応した残量予定時間をＬＣＤ表示部５３に表示させるようにしたので、ユーザは、消去対象の音楽曲データを消去する前に、現在の記憶設定モードに対応したフラッシュメモリ３１の残量予定時間を認識することができる。
【０１４８】
次に図９のステップＳ１０４に示すフォルダ消去表示処理について説明する。図１１はフォルダ消去表示処理に関わるマイコン６の処理動作を示すフローチャートである。
【０１４９】
図１１に示すフォルダ消去表示処理とは、フラッシュメモリ３１内から消去対象のフォルダを消去する前に、同消去対象のフォルダ内の全音楽曲データを消去した場合のフラッシュメモリ３１内の残量予定時間を表示する処理である。
【０１５０】
図１１においてマイコン６の報知駆動制御部６７は、“ＦＯＬＤＥＲ  ＥＲＡＳＥ”をＬＣＤ表示部５３に表示する（ステップＳ１３１）。尚、ユーザは、“ＦＯＬＤＥＲ  ＥＲＡＳＥ”の表示でフォルダ消去機能が起動したことを認識することができる。
【０１５１】
マイコン６の空き容量算出部７１は、フォルダ管理部６３を通じて消去対象のフォルダ内の全音楽曲データをフラッシュメモリ３１内から消去した場合の空き容量を算出する（ステップＳ１３２）。
【０１５２】
さらにマイコン６の残量時間算出部７２は、空き容量算出部７１にて空き容量を算出すると、現在の記憶設定モードがＨＱモードであるか否かを判定する（ステップＳ１３３）。
【０１５３】
残量時間算出部７２は、現在の記憶設定モードがＨＱモードであると判定されると、ステップＳ１３２にて算出した空き容量と、このＨＱモードの記憶ビットレートとに基づいて、ＨＱモードでの残量予定時間を算出する（ステップＳ１３４）。
【０１５４】
報知駆動制御部６７は、この残量時間算出部７２にて算出した残量予定時間をＬＣＤ表示部５３に表示することで（ステップＳ１３５）、この処理動作を終了する。尚、ユーザは、ＬＣＤ表示部５３に表示された残量予定時間に基づいて、消去対象のフォルダ内の全音楽曲データがフラッシュメモリ３１から消去された場合の残量予定時間を認識することができる。
【０１５５】
残量時間算出部７２は、ステップＳ１３３にて現在の記憶設定モードがＨＱモードでないと判定されると、ＬＰモードであると判断し、ステップＳ１３２にて算出した空き容量と、このＬＰモードの記憶ビットレートとに基づいて、ＬＰモードでの残量予定時間を算出し（ステップＳ１３６）、この算出した残量予定時間をＬＣＤ表示部５３に表示すべく、ステップＳ１３５に移行する。
【０１５６】
図１１に示すフォルダ消去表示処理によれば、フラッシュメモリ３１から消去対象のフォルダ内の全音楽曲データを消去する、すなわちフォルダ単位で消去するフォルダ消去動作を実行する前に、消去対象のフォルダ内の全音楽曲データをフラッシュメモリ３１から消去した場合の残量予定時間をＬＣＤ表示部５３に表示するようにしたので、ユーザは、消去対象の音楽曲データを消去する前に、そのフラッシュメモリ３１の残量予定時間を認識することができる。
【０１５７】
また、このフォルダ消去表示処理によれば、フラッシュメモリ３１の残量予定時間を表示するにしても、ＨＱモードで記憶する場合と、ＬＰモードで記憶する場合とでは残量予定時間が異なることから、現在の記憶設定モードに対応した残量予定時間をＬＣＤ表示部５３に表示させるようにしたので、ユーザは、消去対象のフォルダ内の全音楽曲データを消去する前に、現在の記憶設定モードに対応したフラッシュメモリ３１の残量予定時間を認識することができる。
【０１５８】
次に図８のステップＳ８５に示すオール消去処理について説明する。図１２はオール消去処理に関わるマイコン６の処理動作を示すフローチャートである。
【０１５９】
図１２に示すオール消去処理とは、フラッシュメモリ３１内の全フォルダ及び全音楽曲データを一括で消去する、すなわちフラッシュメモリ３１のメモリ内容を初期化する処理である。
【０１６０】
図１２においてマイコン６の制御部６８は、フラッシュメモリ３１に記憶済みの音楽曲データを再生するファイル再生若しくはファイル再生一時停止中であるか否かを判定する（ステップＳ１４１）。
【０１６１】
制御部６８は、ファイル再生若しくはファイル再生一時停止中であると判定されると、このファイル再生を停止することで（ステップＳ１４２）、“ＡＬＬ  ＥＲＡＳＥ”をＬＣＤ表示部５２に表示する（ステップＳ１４３）。尚、ユーザは、“ＡＬＬ  ＥＲＡＳＥ”の表示でオール消去処理を起動したことを認識することができる。
【０１６２】
マイコン６の操作監視部６６は、ＥＮＴキー４３の押下操作を検出したか否かを判定する（ステップＳ１４４）。制御部６８は、ＥＮＴキー４３の押下操作を検出すると、所定時間タイマをスタートする（ステップＳ１４５）。尚、この所定時間タイマは、押下操作時間（例えば２秒間）を計時するタイマに相当するものである。
【０１６３】
操作監視部６６は、所定時間タイマをスタートすると、ＥＮＴキー４３の押下時間が所定時間未満であるか否かを判定する（ステップＳ１４６）。
【０１６４】
制御部６８は、ＥＮＴキー４３の押下時間が所定時間未満でないと判定されると、記憶駆動制御部６１を通じてフラッシュメモリ３１内の全フォルダ及び全音楽曲データを消去する、すなわちフラッシュメモリ３１のメモリ内容を初期化するフォーマット動作を開始する（ステップＳ１４７）。
【０１６５】
制御部６８は、フラッシュメモリ３１のフォーマット動作が完了したか否かを判定する（ステップＳ１４８）。
【０１６６】
制御部６８は、フラッシュメモリ３１のフォーマット動作が完了したのであれば、フォルダ管理部６３を通じてフォルダ管理メモリ３２内のフォルダ管理情報を記憶更新することで（ステップＳ１４９）、このオール消去処理の処理動作を終了する。
【０１６７】
また、ステップＳ１４１にてファイル再生中若しくはファイル一時停止中でないと判定されると、ステップＳ１４３に移行する。
【０１６８】
また、操作監視部６６は、ステップＳ１４４にてＥＮＴキー４３の押下操作を検出したのでなければ、他のキーの押下操作を検出したか否かを判定する（ステップＳ１５０）。他のキーの押下操作を検出したのであれば、同キーに対応した処理動作を実行すべく、この処理動作を終了する。
【０１６９】
また、操作監視部６６は、ステップＳ１４６にてＥＮＴキー４３の押下時間が所定時間未満であると判定されると、このＥＮＴキー４３のキー操作を受け付けず、この処理動作を終了する。
【０１７０】
また、報知駆動制御部６７は、ステップＳ１４８にてフラッシュメモリ３１のフォーマット動作が完了したのでなければ、フォーマット動作中であると判断し、ＥＲＡＳＩＮＧ”をＬＣＤ表示部５３に表示することで（ステップＳ１５１）、ステップＳ１４８の監視動作に移行する。尚、ユーザは、“ＥＲＡＳＩＮＧ”の表示でフォーマット動作中であることを認識することができる。
【０１７１】
図１２に示すオール消去処理によれば、簡単な操作でフラッシュメモリ３１内の全フォルダ及び全音楽曲データを一括で消去する、すなわち、フラッシュメモリ３１のメモリ内容を初期化することができる。
【０１７２】
本実施の形態によれば、フラッシュメモリ３１を車載用オーディオ装置１から取り外すことなく、ファイル消去機能にてフラッシュメモリ３１に記憶済みの音楽曲データをファイル単位（１トラック単位）で消去することができると共に、フォルダ消去機能にてフラッシュメモリ３１に記憶済みの音楽曲データをフォルダ単位（ディスク単位）で消去することができる。
【０１７３】
また、本実施の形態によれば、フラッシュメモリ３１を取り外すことなく、フラッシュメモリ３１のメモリ内容を初期化、つまりフラッシュメモリ３１の全フォルダ内の記憶済み音楽曲データを一括消去することができる。
【０１７４】
また、本実施の形態によれば、フラッシュメモリ３１のフォルダから消去対象の音楽曲データが消去されると、この消去した音楽曲データに関わるフォルダ内に他の音楽曲データが記憶されているか否かを判定し、同フォルダ内に他の音楽曲データが記憶されていない、すなわち同フォルダが空きフォルダであると判定されると、この空きフォルダをフラッシュメモリ３１から消去するようにしたので、記憶済み音楽曲データの消去に伴う空きフォルダがフラッシュメモリ３１内に残してしまうような事態を確実に防止し、その結果、フラッシュメモリ３１内のメモリ容量を有効的に活用し、さらには、フォルダを利用した所望の音楽曲データの検索作業を良好にすることができる。
【０１７５】
尚、上記実施の形態においては、フラッシュメモリ３１のフォルダから消去対象の音楽曲データが消去されると、この消去した音楽曲データに関わるフォルダ内に他の音楽曲データが記憶されているか否かを判定し、同フォルダ内に他の音楽曲データが記憶されていない、すなわち同フォルダが空きフォルダであると判定されると、この空きフォルダをフラッシュメモリ３１から消去するようにしたが、例えばフォルダ管理メモリ３２のメモリ内容に基づいて単一の音楽曲データしか記憶されていないフォルダを認識することができることから、同フォルダ内の単一の音楽曲データが消去されると、同フォルダも空きフォルダであることから同フォルダを併せてフラッシュメモリ３１から消去するようにしても、同様の効果が得られることは言うまでもない。
【０１７６】
また、上記実施の形態においては、図７のディスク記憶処理のステップＳ５４にてフラッシュメモリ３１内に指定ディスクの全音楽曲データを記憶できる空き容量があるか否かを判定し、空き容量がない場合にはステップＳ６８の処理動作に移行するようにしたが、指定ディスクの全音楽曲データを記憶できる空き容量ではなく、指定ディスク内の未記憶の音楽曲データを記憶できる空き容量があるか否かを判断し、同未記憶の音楽曲データを記憶できる空き容量があった場合にはステップＳ５５に移行し、同未記憶の音楽曲データを記憶できる空き容量がなかった場合にはステップＳ６８に移行するようにしても良い。
【０１７７】
また、上記実施の形態においては、記憶対象の音楽曲データをフラッシュメモリ３１に圧縮記憶するようにしたが、フラッシュメモリ３１に限らず、ＭＤやハードディスク等であっても良いことは言うまでもない。
【０１７８】
また、上記実施の形態においては、ディスクの固有識別情報としてディスク情報及びトラック番号に基づき記憶対象の音楽曲データとフラッシュメモリ３１に記憶済みの音楽曲データとを比較するようにしたが、例えばディスクに含まれるアーティスト情報、アルバム情報やタイトル名等のテキスト情報を利用して、記憶対象の音楽曲データとフラッシュメモリ３１に記憶済みの音楽曲データとを比較しても、同様の効果が得られることは言うまでもない。
【０１７９】
また、上記実施の形態においては、フラッシュメモリ３１とフォルダ管理メモリ３２を別個に設けるようにしたが、例えばフラッシュメモリ３１内部の一部領域にフォルダ管理メモリ３２を設けるようにしても良いことは言うまでもない。
【０１８０】
また、上記実施の形態においては、図８に示す消去モード処理及び図９に示すファイル／フォルダ消去処理に示すようにＥＲＳキー４４の短押し（所定時間未満押し）でファイル消去機能→フォルダ消去機能に移行し、ＥＲＳキー４４の長押し（所定時間以上押し）でオール消去機能に移行するようにしたが、例えばＥＲＳキー４４の押下毎に、ファイル消去機能→フォルダ消去機能→オール消去機能に移行させるようにしても良い。
【０１８１】
【発明の効果】
上記のように構成された本発明のオーディオ装置によれば、単一の音楽曲データしか記憶されていないフォルダから、同音楽曲データを消去対象の音楽曲データとして消去すると、同フォルダ、すなわち空きフォルダも併せて消去するようにしたので、記憶済み音楽曲データの消去に伴う空きフォルダが記憶手段内に残してしまうような事態を確実に防止し、その結果、記憶手段内のメモリ容量を有効的に活用し、さらには、フォルダを利用した所望の音楽曲データの検索作業を良好にすることができる。
【０１８２】
また、本発明のオーディオ装置によれば、消去手段にてフォルダ内の消去対象の音楽曲データが消去されると、この消去した音楽曲データに関わるフォルダ内に他の音楽曲データが記憶されているか否かを判定し、同フォルダ内に他の音楽曲データが記憶されていない、すなわち同フォルダが空きフォルダであると判定されると、この空きフォルダを記憶手段から消去するようにしたので、記憶済み音楽曲データの消去に伴う空きフォルダが記憶手段内に残してしまうような事態を確実に防止し、その結果、記憶手段内のメモリ容量を有効的に活用し、さらには、フォルダを利用した所望の音楽曲データの検索作業を良好にすることができる。
【図面の簡単な説明】
【図１】本発明のオーディオ装置における実施の形態を示す車載用オーディオ装置内部の概略構成を示すブロック図である。
【図２】本実施の形態を示す車載用オーディオ装置の操作パネルを示す説明図である。
【図３】本実施の形態を示す車載用オーディオ装置の要部であるマイコン内部の概略構成を示すブロック図である。
【図４】本実施の形態を示す車載用オーディオ装置のフォルダ管理メモリのメモリ内容を端的に示す説明図である。
【図５】本実施の形態を示す車載用オーディオ装置の記憶モード処理に関わるマイコンの処理動作を示すフローチャートである。
【図６】本実施の形態を示す車載用オーディオ装置の１トラック記憶処理に関わるマイコンの処理動作を示すフローチャートである。
【図７】本実施の形態を示す車載用オーディオ装置のディスク記憶処理に関わるマイコンの処理動作を示すフローチャートである。
【図８】本実施の形態を示す車載用オーディオ装置の消去モードに関わるマイコンの処理動作を示すフローチャートである。
【図９】本実施の形態を示す車載用オーディオ装置のファイル／フォルダ消去処理に関わるマイコンの処理動作を示すフローチャートである。
【図１０】本実施の形態を示す車載用オーディオ装置のファイル消去表示処理に関わるマイコンの処理動作を示すフローチャートである。
【図１１】本実施の形態を示す車載用オーディオ装置のフォルダ消去表示処理に関わるマイコンの処理動作を示すフローチャートである。
【図１２】本実施の形態を示す車載用オーディオ装置のオール消去処理に関わるマイコンの処理動作を示すフローチャートである。
【符号の説明】
１    車載用オーディオ装置（オーディオ装置）
２１  ディスク再生部（記憶制御手段）
２２  ＤＳＰ（記憶制御手段、消去手段）
３１  フラッシュメモリ（記憶手段）
６１  記憶駆動制御部（記憶制御手段、消去手段）
６８  制御部（消去手段）
７３  空きフォルダ判定部（空きフォルダ判定手段）
【図１】
2004348388.tif 000003
【図２】
2004348388.tif 000004
【図３】
2004348388.tif 000005
【図４】
2004348388.tif 000006
【図５】
2004348388.tif 000007
【図６】
2004348388.tif 000008
【図７】
2004348388.tif 000009
【図８】
2004348388.tif 000010
【図９】
2004348388.tif 000011
【図１０】
2004348388.tif 000012
【図１１】
2004348388.tif 000013
【図１２】
2004348388.tif 000014